(57)【要約】【課題】  構造がシンプルで、加工性,組付性、経済性に優れ、併せて命綱取付用のガイドをスムースにスライドできる手摺を提供すること      【解決手段】  上部横材２と、この上部横材２の両側下部に垂設した正面上向きでコ字状に成形した下部横材３と、この下部横材３の両側に抱合せて回転自在に結合した左右一対の縦材４、４と、上記上部横材２の両端に形成した先細のガイド部５とからなる【選択図】  図１
2008025254.tif 000002
【特許請求の範囲】
【請求項１】
上部横材２と、この上部横材２の両側下部に垂設した正面上向きでコ字状に成形した下部横材３と、この下部横材３の両側に抱合せて回転自在に結合した左右一対の縦材４、４と、上記上部横材２の両端に形成した先細のガイド部５とからなる手摺。
【請求項２】
下部横材３が左右一対の縦側支柱３Ａ、３Ａと、この縦側支柱３Ａ、３Ａ間に架設した水平支柱３Ｂとからなり、上記縦側支柱３Ａとこの縦側支柱３Ａに抱合せた縦材４とに相対向する孔３Ｄ，４Ａを形成し、この孔３Ｄ，４Ａに差込んだリベット１６で両者を回転自在に結合している請求項１の手摺。
【請求項３】
ガイド部５が上部横材２の両端を押し潰して円錐状又は扁平状に形成されている請求項１又は２の手摺。
【請求項４】
ガイド部５が弾性な差込部５Ａと、この差込部５Ａの端部に連設した円錐体５Ｂとからなり、上記差込部５Ａを上部横材２の両端に差込んで係止させている請求項１又は２の手摺。
【請求項５】
上部横材２の両端下部にガイド板７を一体に又は溶接により垂設し、このガイド板の下端に下部横材３の上端を結合させている請求項１、２、３又は４の手摺。
【請求項６】
下部横材３における縦側支柱３Ａの上端を扁平に押し潰してガイド板３Ｃを形成し、このガイド板３Ｃの上端を上部横材２の両端下部に溶接させている請求項１、２、３、又は４の手摺。
【請求項７】
上部横材２に命綱取付用のガイドＧがスライド自在に挿入されている請求項１、２、３、４、５、又は６の手摺。
【発明の詳細な説明】
【技術分野】
【０００１】
本発明は、足場の片側又は両側に起立させる手摺に関し、特に、枠組足場を縦横に多段に組付ける際に、順次上方に盛替えて足場の組立を安全に行うのに使用する先行手摺や据置手摺に適する手摺に関する。
【背景技術】
【０００２】
一般に、建築・土木工事の現場では枠組足場が設置される場合が多く、この枠組足場を縦横に組付ける場合は、あらかじめ下段の足場板上で先行手摺又は据置手摺を上方に設置し、この手摺を利用して安全を図りながら更に上方に建枠や足場板を組付ける作業を行っている。
【０００３】
他方、先行手摺を配置した上記従来の枠組足場では、この先行手摺を利用して作業者の安全が図られているが、それでもなお足場板を踏み外した作業者が手摺の隙間等から下方に落下する危険があり、その改善が望まれている。
【０００４】
そこで、例えば、特許文献１に示すように、作業通路や足場板から作業者が落下しても作業者に大きな荷重がかからないようにした親綱を兼ねた先行手摺が開発されている。
【特許文献１】特開２００５−２０７２２５号公報（要約、図２参照）
【発明の開示】
【発明が解決しようとする課題】
【０００５】
上記の先行手摺は、左右一対の建枠と、各建枠間に架設した足場板とからなる枠組足場を下方から上方に向けて順次組付ける際に順次上方に盛替えながら建枠に設置する先行手摺であって、左右一対の縦支柱と、各縦支柱の上端部に回転自在に架設した横支柱と、各縦支柱に設けられて当該縦支柱の下部を建枠に着脱自在に結合する取付部材とを備え、上記横支柱を親綱用の支柱として利用しながら当該横支柱に命綱を結合したガイドをスライド自在に挿入したものである。
【０００６】
そして、一つの縦支柱の両サイドにブラケットを結合し、この各ブラケットに対して隣同士の横支柱をそれぞれピンを介して回転自在に軸支させ、この状態でガイドを各横支柱の端部を跨いでスライド出来るようにしている。
【０００７】
上記の先行手摺は、機能上や安全面においては特に欠陥は無いが、手摺自体の構造が複雑で、加工性、組付性において不利であって、加工コストが嵩む結果経済性において不利である。
【０００８】
そこで、本発明の目的は、構造がシンプルで、加工性、組付性、経済性に優れ、併せて命綱取付用のガイドをスムースにスライドできる手摺を提供することである。
【課題を解決するための手段】
【０００９】
上記の目的を達成するため、本発明の手摺の手段は、上部横材と、この上部横材の両側下部に垂設した正面上向きでコ字状に成形した下部横材と、この下部横材の両側に抱合せて回転自在に結合した左右一対の縦材と、上記上部横材の両端に形成した先細のガイド部とからなるものである。
【００１０】
この場合、下部横材が左右一対の縦側支柱と、この縦側支柱間に架設した水平支柱とからなり、上記縦側支柱とこの縦側支柱に抱合せた縦材とに相対向する孔を形成し、この孔に差込んだリベットで両者を回転自在に結合しているのが好ましい。
【００１１】
同じく、ガイド部が上部横材の両端を押し潰して円錐状又は扁平状に形成されているのが好ましい。
【００１２】
同じく、ガイド部が弾性な差込部と、この差込部の端部に連設した円錐体とからなり、上記差込部を上部横材の両端に差込んで係止させても良い。
【００１３】
同じく、上部横材の両端下部にガイド板を一体に又は溶接により垂設し、このガイド板の下端に下部横材の上端を結合させても良い。
【００１４】
同じく、下部横材における縦側支柱の上端を扁平に押し潰してガイド板を形成し、このガイド板の上端を上部横材の両端下部に溶接させても良い。
【００１５】
同じく、上部横材に命綱取付用のガイドがスライド自在に挿入されるようにしても良い。
【発明の効果】
【００１６】
本発明によれば次の効果を達成できる。
【００１７】
各請求項の発明によれば、手摺が上部横材２と、この上部横材２の両側下部に垂設した正面上向きでコ字状に成形した下部横材３と、この下部横材３の両側に抱合せて回転自在に結合した左右一対の縦材４、４と、上記上部横材２の両端に形成した先細のガイド部５とからなるものであるから、部品手数が少なく、構造が簡単でシンプルであって、加工性,組付性に優れ、コストダウンを図れる。
【００１８】
請求項２の発明によれば、上記縦側支柱３Ａとこの縦側支柱３Ａに抱合せた縦材４とに相対向する孔３Ｄ，４Ａを形成し、この孔３Ｄ，４Ａに差込んだリベット１６で両者を回転自在に結合しているから溶接で両者を結合するものに比べて、大幅なコストダウンを図れ、併せて縦材４の回転も図れる。
【００１９】
請求項３の発明によれば、ガイド部５が上部横材２の両端を押し潰して円錐状又は扁平状に形成されているので、手摺１を横方向に列設した時、隣同士の上部横材２，２間をこのガイド部５を介して命綱取付用のガイドＧをスムースに通過させることが出来る。
【００２０】
請求項４の発明によれば、ガイド部５が弾性な差込部５Ａと、この差込部５Ａの端部に連設した円錐体５Ｂとからなり、上記差込部５Ａを上部横材２の両端に差込んで係止させているのでガイド部５Ａの構造が簡単で、加工が容易でもある。
【００２１】
請求項５の発明によれば、上部横材２の両端下部にガイド板７を一体に又は溶接により垂設しているので、このガイド板７により命綱取付用のガイドＧの通過を案内し、回転を防止出来る。
【００２２】
請求項６によれば、下部横材３における縦側支柱３Ａの上端を扁平に押し潰してガイド板３Ｃを形成し、このガイド板３Ｃの上端を上部横材２の両端下部に溶接させているので、このガイド板３Ｃの成形が簡単であり、又このガイド板３Ｃが命綱取付用のガイドＧを回転を阻止しながらスムースに通過させることが出来る。
【００２３】
請求項７の発明によれば、上部横材２に命綱取付用のガイドＧがスライド自在に挿入されているので、命綱の取付が簡単である。
【発明を実施するための最良の形態】
【００２４】
以下、本発明の実施の形態を図に基づいて説明する。
【００２５】
図１乃至図６は、本発明の一実施の形態に係る単一の手摺１を示し、図７乃至図９は、本発明における他の実施の形態を示す。
【００２６】
各実施の形態に係わる手摺の基本構造は、図１、図６に示すように、上部横材２と、この上部横材２の両側下部に垂設した正面上向きでコ字状に成形した下部横材３と、この下部横材３の両側に抱合せて回転自在に結合した左右一対の縦材４、４と、上記上部横材２の両端に形成した先細のガイド部５とからなるものである。
【００２７】
下部横材３は、左右一対の縦側支柱３Ａと、この縦側支柱３Ａ、３Ａ間に架設した水平支柱３Ｂとからなるものである。
【００２８】
図２に示すように、上記縦側支柱３Ａとこの縦側支柱３Ａに抱合せた縦材４とに相対向する孔３Ｄ、４Ａを形成し、これらの孔３Ｄ、４Ａに差込んだリベット６で両者を回転自在に結合している。
【００２９】
リベット６は、両端にフランジ６Ａ、６Ａが形成されていて抜け止めが施されている。
【００３０】
ガイド部５は、上部横材２の両端を押し潰して円錐状又は扁平状に形成されている。
【００３１】
例えば、このガイド部５は、図４に示すように、弾性な二股状の差込部５Ａと、この差込部５Ａに形成したフック５Ｃと、差込部５Ａの端部に連設した円錐体５Ｂとからなり、上記差込部５Ａを上部横材２の両端に差込み、フック５Ｃを上部横材２に形成した孔６の嵌合して係止させている。
【００３２】
図３に示すように、下部横材３における縦側支柱３Ａの上端を扁平に押し潰してガイド板３Ｃを形成し、このガイド板３Ｃの上端を上部横材２の両端下部に溶接させている。このガイド板３Ｃは後述する命綱取付用のガイドＧをスムースに通過させ、当該ガイドＧの回転を防止させるものである。
【００３３】
ガイド部５におけるフック５Ｃは図４の場合は対向して二つ設けられているが、図５に示すように一つでも良い。
【００３４】
次ぎに、図６に示す他の実施の形態の基本構造は、上記した通りであるが、この場合は上部横材２を加工する時、当該上部横材２の本体と、この本体に垂設したガイド板７と、端部のガイド部５を同時に絞り成形したものである。この場合は、ガイド板７の下端に下部横材３の縦側支柱３Ａの上端扁平部、即ち上記で述べたガイド板３Ｃを溶接させている。
【００３５】
ガイド板７は、図８,図９に示すように、上部横材２の下端に別の板を溶接して固定しても良い。
【００３６】
上部横材２には命綱取付用のガイドＧがスライド自在に挿入されている。
【００３７】
この命綱取付用のガイドＧは、図１０に示すように、筒状本体３１と、筒状本体３１の両端に形成したラッパ型の案内部３２，３３と、筒状本体３１の下部に長手方向に沿って形成した隙間３４と、筒状本体３１の上壁と内壁にそれぞれ設けた上部ガイドローラ３６及び前後一対のガイドローラ３７，３８と、筒状本体３１の上部に取付けた命綱取付用ブラケット３５とで構成されている。
【００３８】
従って、ガイドＧは、上記三つのガイドローラ３６，３７，３８を介して上部横材２に沿ってスライドする。この時、隙間３４を介してガイド板３Ｃ又はガイド板７を筒状本体３１が回転を阻止されながら通過する。
【００３９】
更に、足場に沿って多数の手摺１が列設されて入る場合、隣同士の上部横材２，２の端部同士はガイド部５，５が対向しており、このガイド部５に最初にラッパ型の案内部３２又は３３がスムースに侵入し、ズレルことなくガイドＧが進行する。
【図面の簡単な説明】
【００４０】
【図１】本発明の一実施の一例に係る手摺の正面図である。
【図２】図１のＡ―Ａ線端面図である。
【図３】（Ａ）（Ｂ）図１の手摺の端部拡大平面図、正面図である。
【図４】（Ａ）（Ｂ）（Ｃ）ガイド部の平図図、正面図、右側面図である。
【図５】（Ａ）（Ｂ）他の実施の形態に係るガイド部の平面図、正面図である。
【図６】他の実施の形態に係る手摺の正面図である。
【図７】（Ａ）（Ｂ）（Ｃ）図６の手摺の一部拡大平面図,正面図,右側面図である。
【図８】他の実施の形態に係わるガイド板部分の断面図である。
【図９】更に別の実施の形態に係わるガイド板部分の断面図である。
【図１０】（Ａ）（Ｂ）（Ｃ）命綱取付用のガイドの平面図、底面図、Ａ―Ａ線顔面図である。
【符号の説明】
【００４１】
１  手摺
２  上部横材
３  下部横材
３Ａ  縦側支柱
３Ｂ  水平支柱
３Ｃ  ガイド板
３Ｄ，４Ａ  孔
４  縦材
５  ガイド部
５Ａ  差込部
５Ｂ  円錐体
７  ガイド板
１６  リベット
Ｇ  ガイド
【図１】
2008025254.tif 000003
【図２】
2008025254.tif 000004
【図３】
2008025254.tif 000005
【図４】
2008025254.tif 000006
【図５】
2008025254.tif 000007
【図６】
2008025254.tif 000008
【図７】
2008025254.tif 000009
【図８】
2008025254.tif 000010
【図９】
2008025254.tif 000011
【図１０】
2008025254.tif 000012